(57)【要約】【課題】  最大で２枚の遊技盤の１つの定形な段ボール箱への収納化を図る。【解決手段】  １枚目の遊技盤１の表部品４が蓋部７３を開いた段ボール箱１２の封緘された底部７２と対向する格好で、１枚目の遊技盤１が段ボール箱１２の内部に収納され、支持体１３が段ボール箱１２の内部に収納されるのに伴いその内部に１枚目の遊技盤１の裏部品５を取り込みつつ、支持体１３の下端面が１枚目の遊技盤１の遊技盤本体２の裏部品５周りに搭載され、２枚目の遊技盤１の裏部品５が１枚目の遊技盤１の裏部品５と対向する格好で、２枚目の遊技盤１が段ボール箱１２の内部に収納されるのに伴い、２枚目の遊技盤１の裏部品５が支持体１３の内部に取り込まれつつ、２枚目の遊技盤１の遊技盤本体２の裏部品５周りが支持体１３の上端面に搭載され、蓋部７３が閉じられて封緘される。【選択図】        図１
2005193970.tif 000002
【特許請求の範囲】
【請求項１】
遊技盤本体に表部品と裏部品とを備えた２枚の遊技盤が段ボール箱と筒状の支持体とで梱包される遊技盤梱包装置において、１枚目の遊技盤における表部品が蓋部を開いた段ボール箱の封緘された底部と対向する格好で、１枚目の遊技盤が上記段ボール箱の内部に収納され、支持体が段ボール箱の内部に収納されるのに伴いその内部に１枚目の遊技盤における裏部品を取り込みつつ、支持体の下端面が１枚目の遊技盤における遊技盤本体の裏部品周りに搭載される一方、２枚目の遊技盤における裏部品が上記１枚目の遊技盤における裏部品と対向する背中合わせの格好で、２枚目の遊技盤が上記段ボール箱の内部に収納されるのに伴い、２枚目の遊技盤における裏部品が上記支持体の内部に取り込まれつつ、２枚目の遊技盤における遊技盤本体の裏部品周りが支持体の上端面に搭載され、蓋部が閉じられて封緘される形態に形成されたことを特徴とする遊技盤梱包装置。
【請求項２】
遊技盤本体に表部品と裏部品とを備えた２枚の遊技盤が段ボール箱と筒状の支持体とで梱包される遊技盤梱包装置において、２枚の遊技盤における裏部品が互いに対向する背中合わせの格好で支持体の内部に取り込まれ、２枚の遊技盤における遊技盤本体の裏部品周りが支持体の両端面に接触された格好で、２枚の遊技盤における遊技盤本体の周縁部が蓋部を開いた段ボール箱の封緘された底部と対向する格好で、２枚の遊技盤と支持体とが上記段ボール箱の内部に収納され、蓋部が閉じられて封緘される形態に形成されたことを特徴とする遊技盤梱包装置。
【請求項３】
支持体が背中合わせの格好で互いに対向する２枚の遊技盤における裏部品を互いに接触しないように離す寸法の幅を備えたことを特徴とする請求項１または請求項２記載の遊技盤梱包装置。
【請求項４】
支持体が段ボールにより形成されたことを特徴とする請求項１または請求項２記載の遊技盤梱包装置。
【請求項５】
段ボールの波心が支持体の幅方向に延びる条を形成したことを特徴とする請求項４記載の遊技盤梱包装置。
【請求項６】
支持体が段ボール箱の内部に結合体で連結されたことを特徴とする請求項２記載の遊技盤梱包装置。
【請求項７】
支持体が段ボール箱の前後左右壁に折り畳まれた形態と段ボール箱の内側に突出する形態とに変形可能で段ボール箱の前後左右壁に設けられたことを特徴とする請求項２記載の遊技盤梱包装置。
【請求項８】
パチンコ店で使用済となった遊技盤本体に表部品と裏部品とを備えた２枚の遊技盤が請求項１または請求項２に記載された遊技盤梱包装置を使用して回収される使用済遊技盤回収方法。
【発明の詳細な説明】
【技術分野】
【０００１】
本発明はパチンコ機の最大で２枚の遊技盤を１つの段ボール箱に収納して封緘する作業容易な遊技盤梱包装置と、当該遊技盤梱包装置を使用して使用済遊技盤を回収する方法に関する。
【背景技術】
【０００２】
従来、パチンコ店から使用済として破棄された使用済遊技盤を運搬する場合、使用済遊技盤を形の不揃いな空の段ボール箱に投入し、当該段ボール箱をトラックの荷台に搭載したり、使用済遊技盤をそのままトラックの荷台に搭載したりしていた。また、本願出願人は製品としての遊技盤を支持体で鉢巻状に支持し、それを段ボール箱に収納する構造の遊技盤梱包装置を提案している。しかしながら、使用済遊技盤の投入された形の不揃いな段ボール箱をトラックの荷台に搭載したり、使用済遊技盤をそのままトラックの荷台に搭載したりしていたので、１台のトラックで運搬できる数量が少なく、しかも、トラックの荷台から使用済遊技盤が落下しないように荷造りする作業に多大な労力と時間とが必要であったという問題点があった。本願出願人が提案した上記遊技盤梱包装置にあっては、遊技盤を支持体で鉢巻状に支持するために、使用済遊技盤の運搬に対しては梱包作業が面倒である。
【特許文献１】特願２００１−３８６５４４号
【発明の開示】
【発明が解決しようとする課題】
【０００３】
発明が解決しようとする問題点は、製品としての遊技盤の運搬に対する梱包作業が面倒であるとともに、使用済遊技盤の運搬に対する梱包作業が面倒であるという点である。
【課題を解決するための手段】
【０００４】
本発明に係る遊技盤梱包装置は、遊技盤本体に表部品と裏部品とを備えた２枚の遊技盤が段ボール箱と筒状の支持体とで梱包される遊技盤梱包装置において、１枚目の遊技盤における表部品が蓋部を開いた段ボール箱の封緘された底部と対向する格好で、１枚目の遊技盤が上記段ボール箱の内部に収納され、支持体が段ボール箱の内部に収納されるのに伴いその内部に１枚目の遊技盤における裏部品を取り込みつつ、支持体の下端面が１枚目の遊技盤における遊技盤本体の裏部品周りに搭載される一方、２枚目の遊技盤における裏部品が上記１枚目の遊技盤における裏部品と対向する背中合わせの格好で、２枚目の遊技盤が上記段ボール箱の内部に収納されるのに伴い、２枚目の遊技盤における裏部品が上記支持体の内部に取り込まれつつ、２枚目の遊技盤における遊技盤本体の裏部品周りが支持体の上端面に搭載され、蓋部が閉じられて封緘される形態に形成されたことによって、または、２枚の遊技盤における裏部品が互いに対向する背中合わせの格好で支持体の内部に取り込まれ、２枚の遊技盤における遊技盤本体の裏部品周りが支持体の両端面に接触された格好で、２枚の遊技盤における遊技盤本体の周縁部が蓋部を開いた段ボール箱の封緘された底部と対向する格好で、２枚の遊技盤と支持体とが上記段ボール箱の内部に収納され、蓋部が閉じられて封緘される形態に形成されたことを最も主要な特徴とする。支持体が背中合わせの格好で互いに対向する２枚の遊技盤における裏部品を互いに接触しないように離す寸法の幅を備えたり、支持体が段ボールにより形成されたり、段ボールの波心が支持体の幅方向に延びる条を形成したり、支持体が段ボール箱の内部に結合体で連結されたりすることも特徴とする。本発明に係る使用済遊技盤回収方法は、パチンコ店で使用済となった遊技盤本体に表部品と裏部品とを備えた２枚の遊技盤が上記遊技盤梱包装置を使用して回収されることを最も主要な特徴とする。
【発明の効果】
【０００５】
本発明に係る遊技盤梱包装置にあっては、２枚の遊技盤を段ボール箱の内部に格納された定形の格好で運搬することができるうえ、段ボール箱と支持体とを扁平に畳んだ形態で保管することで、保管の省スペース化も図ることができる。また、本発明に係る遊技盤梱包装置にあっては、支持体が背中合わせの格好で互いに対向する２枚の遊技盤における裏部品を接触しないように離す寸法の幅を備えれば、２枚の遊技盤を運搬する過程において、遊技盤の表部品や裏部品が損傷されることがない。また、本発明に係る遊技盤梱包装置にあっては、支持体が段ボールにより形成されれば、盤ボール箱と支持体とを破棄する場合に材料分別する手間が要らない。また、本発明にあっては、段ボールの波心が支持体の幅方向に延びる条を形成すれば、支持体の遊技盤支持強度が高くなる。本発明にあっては、支持体が段ボール箱の内部に結合体で連結されれば、段ボール箱と支持体とが組み合わさった形態で遊技盤梱包装置を梱包作業に供給したり運搬したりすることができるので、遊技盤の梱包作業および遊技盤梱包装置の運搬作業が容易である。また、本発明に係る使用済遊技盤回収方法にあっては、パチンコ店で使用済となった遊技盤本体に表部品と裏部品とを備えた２枚の遊技盤が上記遊技盤梱包装置を使用して回収されることによって、段ボール箱と支持体とを再使用することができる。
【発明を実施するための最良の形態】
【０００６】
図１−図８は第１実施形態であり。図１は、２枚の遊技盤１を１つの段ボール箱１２と１つの筒状の支持体１３とで梱包する遊技盤梱包装置１１の分解した外観を示す。図２は、展開した段ボール箱１２を示す。図３は、筒状に形成された段ボール箱１２の外観を示す。図４は、展開した支持体１３を示す。図５は、筒状に形成された支持体１３の外観を示す。図６−図８は、遊技盤１を梱包する工程を示す。
【０００７】
図１を参照し、梱包対象物品である２枚の遊技盤１と、２枚の遊技盤１を梱包する遊技盤梱包装置１１とについて説明する。２枚の遊技盤１は遊技盤本体２と、遊技盤本体２における前面である意匠盤面３に取り付けられた表部品４と、遊技盤本体２の裏面に取り付けられた裏部品５とを備える。遊技盤梱包装置１１は段ボール箱１２及び支持体１３を備える。そして、段ボール箱１２の前後左右蓋２３；２４；２５；２６が開けられた状態において、１枚目の遊技盤１における表部品４が段ボール箱１２の封緘された底部７２と対向する格好つまり遊技盤本体２の意匠盤面３が段ボール箱１２の底部７２と平行に対向する格好で、１枚目の遊技盤１が段ボール箱１２の上方から内部に収納され、遊技盤１の表部品４が段ボール箱１２の底部７２に搭載された後、筒状の支持体１３が段ボール箱１２の上方から内部に挿入されるのに伴い、１枚の遊技盤１における裏部品５が支持体１３の内部に取り込まれ、支持体１３における環状の下端面が１枚目の遊技盤１における遊技盤本体２の裏部品５周りに搭載される。
【０００８】
それから、２枚目の遊技盤１における裏部品５の裏面（図１では下面）が上記段ボール箱１２に収納された１枚目の遊技盤１における裏部品５の裏面（図１では上面）と平行に対向する格好で、２枚目の遊技盤１が段ボール箱１２の上方から内部に収納されることで、２枚目の遊技盤１における裏部品５が支持体１３の内部に取り込まれつつ、２枚目の遊技盤１における遊技盤本体２の裏部品５周りが支持体１３の環状の上端面に搭載される。その後、前後左右蓋２３−２６が閉じられることで、前後蓋２３；２５または左右蓋２４；２６が２枚目の遊技盤１における表部品４の前面と接触し、前後左右蓋２３−２６からなる蓋部７３が２枚目の遊技盤１を１枚目の遊技盤１の方向に押し付ける格好で図外の紙製または布製の粘着テープのような封緘具で封緘される構成である。
【０００９】
封緘具は接着剤やステップルでもよいが、接着剤は乾燥しないように注意が必要であり、ステップルは専用工具を使用しなければならないので、粘着テープの方が接着剤やステップルに比べて好適である。この封緘された遊技盤梱包装置１１にあっては、１つの段ボール箱１２の内部において、支持体１３が双方の裏部品５を互いに接触しないように上下方向に離し、２枚の遊技盤１における相互の裏部品５が互いに向かい合わされた背中合わせの格好で１つの段ボール箱１２に収納され、２枚の遊技盤１における表部品４が段ボール箱１２における底部７２と蓋部７３とで上下方向より押圧された格好で支持され、２枚の遊技盤１が段ボール箱１２の内部でがたつかないようになっている。
【００１０】
図２を参照し、段ボール箱１２について説明する。展開した場合、段ボール箱１２は糊代１４、前側壁１５、左側壁１６、後側壁１７、右側壁１８が左側から右側へと横一列に連接され、前蓋２３及び前底１９が前側壁１５より上下方向に連接され、左蓋２４及び左底２０が左側壁１６より上下方向に連接され、後蓋２５及び後底２１が後側壁１７より上下方向に連接され、右蓋２６及び右底２２が右側壁１８より上下方向に連接された形態であって、ロール状に巻かれた長尺な段ボール紙材料から長方形状に切断されて材料取りされた後に、一点鎖線で示す折線２７；２８；２９；３０；３１；３２；３３；３４；３５；３６；３７；３８が付けられるとともに、左右側壁１６；１８に取手用孔片４０；４１が形成された形態である。前底１９と左底２０とが互いに切込４２で分離され、左底２０と後底２１とが互いに切込４３で分離され、後底２１と右底２２とが互いに切込４４で分離され、前蓋２３と左蓋２４とが互いに切込４５で分離され、左蓋２４と後蓋２５とが互いに切込４６で分離され、後蓋２５と右蓋２６とが互いに切込４７で分離されている。取手用孔片４０は切込４８と折線４９とで囲まれた形態に構成される。取手用孔片４１は切込５０と折線５１とで囲まれた形態に構成される。切込４８；５０は左右方向に延長された直線から上方（左蓋２４の方向または右蓋２６の方向）に向けて内側に湾曲する弧状に延びている。折線４９；５１は切込４８；５０における弧状の相対峙する内側端間において左右方向に直線状に延びている。段ボール箱１２を構成する段ボール紙材料における波心１２ａは段ボール箱１２の上下方向に延びる条を形成する。
【００１１】
そして、糊代１４と前側壁１５とが折線２７で内側に折り曲げられ、前側壁１５と左側壁１６とが折線２８で内側に折り曲げられ、左側壁１６と後側壁１７とが折線２９で内側に折り曲げられ、後側壁１７と右側壁１８とが折線３０で内側に折り曲げられ、糊代１４と右側壁１８の右側部とが互いに重ね合せられて図外の接着剤のような固着具で結合されることで、図３に示す四角形の筒状に形成された段ボール箱１２が完成する。この筒状の段ボール箱１２における前側壁１５と右側壁１８との境目である折線２７の部分と、左側壁１６と後側壁１７との境目である折線２９の部分とが互いに外側から内側に押されることで、段ボール箱１２が全体的に扁平となる。よって、段ボール箱１２を多数枚保管する場合、上記扁平となった段ボール箱１２が積層された形態で保管されることで、筒状の段ボール箱１２をそのままの形状で保管する場合に比べ、嵩張らない。筒状の段ボール箱１２を扁平に畳む場合、前側壁１５と左側壁１６との境目である折線２８の部分と、後側壁１７と右側壁１８との境目である折線３０の部分とを互いに外側から内側に押してもよい。
【００１２】
図４を参照し、支持体１３について説明する。展開した場合、支持体１３は糊代５５、左側片５８、隅片６０、前側片５６、隅片６１、右側片５９、隅片６２、後側片５７、隅片６３が左側から右側へと横一列に連接された形態であって、ロール状に巻かれた長尺な段ボール紙材料から長方形状に切断されて材料取りされた後に、一点鎖線で示す折線６４；６５；６６；６７；６８；６９；７０；７１が付けられた形態である。支持体１３を構成する段ボール紙材料における波心１３ａが支持体１３の幅Ｈ方向（上下方向）に延びる条を形成するので、支持体１３が遊技盤１を支持する強度が高い。支持体１３の幅Ｈは２枚の遊技盤１における背中合わせにした裏部品５を互いに接触しないように離す寸法になっている。そして、糊代５５と左側片５８とが折線６４で内側に折り曲げられ、左側片５８と隅片６０とが折線６５で内側に折り曲げられ、隅片６０と前側片５６とが折線６６で内側に折り曲げられ、前側片５６と隅片６１とが折線６７で内側に折り曲げられ、隅片６１と右側片５９とが折線６８で内側に折り曲げられ、右側片５９と隅片６２とが折線６９で内側に折り曲げられ、隅片６２と後側片５７とが折線７０で内側に折り曲げられ、後側片５７と隅片６３とが折線７１で内側に折り曲げられ、隅片６３と糊代５５とが互いに重ね合せられて接着剤のような固着具で結合されることで、図５に示す八角形の筒状に形成された支持体１３が完成する。この筒状の支持体１３における前側片５６と右側片５９との境目である隅片６１と、糊代５５と隅片６３とが互いに外側から内側に押されることで、支持体１３が全体的に扁平となる。よって、支持体１３を多数枚保管する場合、上記扁平となった支持体１３が積層された形態で保管されることで、筒状の支持体１３をそのままの形状で保管する場合に比べ、嵩張らない。筒状の支持体１３を扁平に畳む場合、隅片６０と隅片６２とを互いに外側から内側に押してもよい。
【００１３】
段ボール箱１２や支持体１３を筒状に作る場合に使用する固着具は粘着テープやステップルでもよいが、粘着テープはロール上に巻かれた長尺な粘着テープ材料から定寸法な粘着テープを切断する作業が必要であり、ステップルは専用工具を使用しなければならないので、接着剤の方が粘着テープやステップルに比べて好適である。
【００１４】
図６−図８を参照し、図１の遊技盤梱包装置１１で２枚の遊技盤１を梱包する方法について説明する。ステップ１０１のａ図に示すように、扁平な形状で保管されていた段ボール箱１２における折線２７の部分と、図３に示す折線２９の部分とが、互いに内側から外側に押されることで、段ボール箱１２が筒状に開けられる。その状態において、図３に示す左右底２０；２２が折線３２；３４で内側に折り曲げられて互いに向かい合わせられる一方、前後底１９；２１が折線３１；３３で内側に折り曲げられて互いに向かい合わせられる。その状態において、ステップ１０１のｂ図に示すように、上記互いに向かい合わせられた前後底１９；２１の双方が紙製または布製の粘着テープのような封緘具７５で封緘（封緘具７５における粘着剤が前後底１９；２１の双方にわたり接着）され、封緘具７５の前後底１９；２１より外側に突出した両端部が上方に持ち上げられる格好で内側に折り返されつつ左右側壁１６；１８における取手用孔片４０；４１よりも下部に接着されることで、段ボール箱１２の封緘された底部７２が扁平に形成される。
【００１５】
次に、ステップ１０２のａ図に示すように、底部７２の封緘された筒状の段ボール箱１２の前後左右蓋２３−２６が開けられた状態において、１枚目の遊技盤１の表部品４が下に向けられた格好で、１枚目の遊技盤１が段ボール箱１２の上方から内部に収納される。これによって、ステップ１０２のｂ図に示すように、１枚目の遊技盤１における表部品４の前面が段ボール箱１２の底部７２に接触し搭載される。
【００１６】
引き続き、ステップ１０３のａ図に示すように、筒状の支持体１３が段ボール箱１２の上方から内部に挿入される。これによって、ステップ１０３のｂ図に示すように、支持体１３がそれの内部に１枚目の遊技盤１における裏部品５を取り込みつつ、支持体１３の下端面が１枚目の遊技盤１における遊技盤本体２の裏部品５周りに接触して搭載される。その後、ステップ１０４のａ図に示すように、２枚目の遊技盤１の裏部品５が下に向けられた格好で、２枚目の遊技盤１が段ボール箱１２の上方から内部に収納される。これによって、ステップ１０４のｂ図に示すように、２枚目の遊技盤１における裏部品５が支持体１３の内部に取り込まれつつ、２枚目の遊技盤１における遊技盤本体２の裏部品５周りが支持体１３の上端面に接触して搭載される。その状態において、２枚目の遊技盤１における表部品４の上面が図３の前後左右側壁１５−１８と前後左右蓋２３−２６との境目である折線３５−３８と同一位置かまたは折線３５−３８よりも少し上方に突出する（ステップ１０４のｂ図では折線３５−３８よりも上方に突出した状態を図示してある）。
【００１７】
さらに、ステップ１０５に示すように、段ボール箱１２の左右蓋２４；２６が内側に折り曲げられるとともに、前後蓋２３；２５が内側に折り曲げられることで、閉じられた左右蓋２４；２６が２枚目の遊技盤１における表部品４の上面と接触し、前後左右蓋２３−２６からなる蓋部７３が２枚目の遊技盤１を１枚目の遊技盤１の方向に押し付ける一方、左右蓋２４；２６が互いに向かい合わせられるとともに、前後蓋２３；２５が互いに向かい合わせられる。その状態において、互いに向かい合わせられた前後蓋２３；２５の双方が紙製または布製の粘着テープのような封緘具７６で封緘（封緘具７６における粘着剤が前後蓋２３；２５の双方にわたり接着）され、封緘具７６の前後蓋２３；２５より外側に突出した両端部が下方に引っ張られる格好で内側に折り返されつつステップ１０４に示す左右側壁１６；１８における取手用孔片４０；４１よりも上部に接着される。これによって、梱包作業が終了する。
【００１８】
その後、作業者が２枚の遊技盤１の梱包された遊技盤梱包装置１１を持ち運ぶ場合、ステップ１０６に示すように、作業者が左手７７における人差指、中指、薬指、小指それぞれの指先を段ボール箱１２の外側から左側壁１６の取手用孔片４０を押しながら内側に入れるとともに、右手７８における人差指、中指、薬指、小指それぞれの指先を段ボール箱１２の外側から右側壁１８の取手用孔片４１を押しながら内側に入れ、作業者が上記段ボール箱１２の内側に入った指先を上方に曲げた格好で、作業者が両手で遊技盤梱包装置１１を持ち運ぶ。
【００１９】
第１実施形態の構造によれば、段ボール箱１２と支持体１３とが段ボール紙により形成されているので、遊技盤梱包装置１１を金属や合成樹脂で作った場合よりも軽量化することがきるうえ、遊技盤梱包装置１１を使用済として破棄する場合に、段ボール箱１２と支持体１３とを材料で分別することなく一緒に捨てることができる。２枚の遊技盤１が背中合わせされつつ支持体１３で支持された格好で、段ボール箱１２の底部７２と蓋部７３とが封緘されることによって、２枚の遊技盤１が段ボール箱１２の底部７２と支持体１３と蓋部７３とで挟まれた格好で段ボール箱１２の内部でがたつくことがないように安定に支持される。
【００２０】
しかも、２枚の遊技盤１が背中合わせの格好で１つの段ボール箱１２に収納された遊技盤梱包装置１１においては、図８のステップ１０５に示すように、２枚の遊技盤１における表部品４の上面が段ボール箱１２の底部７２と蓋部７３とに接触し、筒状の支持体１３における上下端面が２枚の遊技盤１における遊技盤本体２の裏部品５周りに接触しているので、例えば、取手用孔片４０；４１が図８のステップ１０６に示すように段ボール箱１２の内部に押し込まれ形態で保管された場合にあっても、当該保管中において、埃が段ボール箱１２の内部に押し込まれた取手用孔片４０；４１の中抜きされた取手用孔７９；８０を経由して段ボール箱１２の内部に侵入しても、２枚の遊技盤１における表部品４の上面や裏部品５が埃を被らない。
【００２１】
また、２枚の遊技盤１が背中合わせの格好で１つの段ボール箱１２に収納された遊技盤梱包装置１１においては、支持体１３が２枚の遊技盤１における裏部品５どうしを上下方向に離した格好で遊技盤本体２を支持しているので、２枚の遊技盤１を収納した遊技盤梱包装置１１がトラックに積み込まれて運ばれる場合に、その運搬中の振動で双方の裏部品５が衝突することないので、２枚の遊技盤１に実装されている表部品４や裏部品５における画像表示装置や球検出器などの部品が損傷せず適切に保護される。
【００２２】
図９は、第２実施形態に係る２枚の遊技盤１を１つの段ボール箱１２と１つの筒状の支持体１３とで梱包する遊技盤梱包装置１１の分解した外観を示す。第１実施形態では２枚の遊技盤１の裏部品５が上下方向で背中合わせにされた格好で、２枚の遊技盤１が上下方向に配置されるように１つの段ボール箱１２の内部に格納したが、第２実施形態では２枚の遊技盤１の裏部品５が左右方向または前後方向で背中合わせにされた格好で、２枚の遊技盤１が左右方向または前後方向に配置されるように１つの段ボール箱１２の内部に格納される構成である。図９に示すように、２枚の遊技盤１における裏部品５が互いに対向する背中合わせの格好で支持体１３の内部に取り込まれ、２枚の遊技盤１における遊技盤本体２の裏部品５周りが支持体１３における環状の両端面（第１実施形態における環状の上下端面に相当する）に接触された格好で、２枚の遊技盤１における遊技盤本体２の周縁部が前後左右蓋２３−２６からなる蓋部７３を開いた段ボール箱１２の閉じられた底部７２と対向する格好で、２枚の遊技盤１と支持体１３とが上記段ボール箱１２の内部に収納され、蓋部７３が閉じられて図８に示す封緘具７６で封緘される形態に形成されている。
【００２３】
図１０−図１３は、第３実施形態である。図１０は、展開した段ボール箱１２を示す。図１１は、角筒状に形成される途中である段ボール箱１２の外観を示す。図１２は、角筒状に形成された段ボール箱１２の外観を示す。図１３は、筒状から扁平時に畳まれる段ボール箱１２の外観を示す。図１０に示す展開した段ボール箱１２は、図２に示す展開した段ボール箱１２における前後底１９；２１に、折線８３；８４を付けて、底糊代８５；８６を区分し形成した。図１１及び図１２を参照し、段ボール箱１２の作り方について説明する。図１１に示すように、前側壁１５と左側壁１６とが折線２８で内側に折り曲げられ、右側壁１８と後側壁１７とが折線３０で内側に折り曲げられ、前底１９と左底２０とが折線３１；３２で内側に折り曲げられ、後底２１と右底２２とが折線３３；３４で内側に折り曲げられ、底糊代８５と左底２０の左側部とが互いに重ね合わされて接着剤で結合され、底糊代８６と右底２２の左側部とが互いに重ね合わされて接着剤で結合される。次に、左側壁１６と後側壁１７とが折線２９で内側に折り曲げられ、糊代１４が折線２７で内側に折り曲げられ、糊代１４と右側壁１８の右側部とが互いに重ね合わされて接着剤で結合される。これによって、図１２に示す底部７２の封緘された四角形の筒状に形成された段ボール箱１２が完成する。
【００２４】
図１３を参照し、段ボール箱１２の保管形態について説明する。前記底部７２の封緘された筒状の段ボール箱１２において、前後左右底１９−２２が矢印Ｘで示すように外側から内側に押されるのに伴い、底糊代８５が折線８３で内側に折り曲げられ、底糊代８６が折線８４で内側に折り曲げられ、前後左右底１９−２２が段ボール箱１２の内側に押し込まれる。これによって、相対峙する折線２７；２９が互いに外側から内側の方向に近づき、段ボール箱１２が扁平となる。この扁平となった段ボール箱１２にあっては、相対峙する折線２７；２９が互いに内側から外側の方向に離れるように開けられることで、段ボール箱１２が扁平な形態から図１２に示す底部７２の封緘された筒状になる。よって、第３実施形態の段ボール箱１２によれば、２つの遊技盤１を段ボール箱１２に格納する場合、その場で段ボール箱１２の底部７２を図６に示す封緘具７５で封緘する必要はない。
【００２５】
図１４は、第４実施形態である。図１４のａ図は、前後左右蓋２３−２６の開けられた段ボール箱１２の外観を示す。図１４のｂ図は、前後左右蓋２３−２６の封緘された段ボール箱１２の外観を示す。図１４のａ図において、前後蓋２３；２５はそれらが互いに折線３５；３７で内側に折り曲げられることで、それらの先端部が互いに重ね合わされるように、前後蓋２３；２５における前後方向の寸法が設定されている。上記前後蓋２３；２５における互いに重なる先端部には切込９１；９２が形成される。そして、図１４のｂ図に示すように、左右蓋２４；２６が折線３６；３８で内側に折り曲げられた後、前後蓋２３；２５が互いに折線３５；３７で内側に折り曲げられ、前後蓋２３；２５の先端部が互いに重ね合わされる場合において、切込９１；９２が互いに嵌め合わされることで、前後蓋２３；２５の先端部が左右方向で互い違いに組み合わされ、前後左右蓋２３−２６が封緘されるようになっている。よって、第４実施形態の段ボール箱１２によれば、２つの遊技盤１を段ボール箱１２に格納する場合、その場で段ボール箱１２の前後左右蓋２３−２６を図８に示す封緘具７６で封緘する必要はない。切込９１；９２のいずれか一方は形成しなくてもよい。切込９１；９２は左右蓋２４；２６に形成してもよい。
【００２６】
図１５は、第５実施形態である。図１５のａ図は、前後左右蓋２３−２６が開けられた段ボール箱１２の外観を示す。図１５のｂ図は、前後左右蓋２３−２６が封緘された段ボール箱１２の外観を示す。図１５のａ図において、左右蓋２４；２６が互いに折線３６；３８で内側に折り曲げられた場合に、互いに向き合う左右蓋２４；２６の先端部には切込９３；９４が形成される。前後蓋２３；２５が互いに折線３５；３７で内側に折り曲げられた場合に、互いに向き合う前後蓋２３；２５の先端部には嵌合片９５；９６が連接され、前後蓋２３；２５と嵌合片９５；９６との境には直線状の折線９７；９８を備える。そして、図１５のｂ図に示すように、左右蓋２４；２６が折線３６；３８で内側に折り曲げられた後、前後蓋２３；２５が互いに折線３５；３７で内側に折り曲げられ、前後蓋２３；２５の先端部が互いに対向する場合において、嵌合片９５；９６が互いに折線９７；９８で内側に折り曲げられて切込９３；９４に嵌め込まれることで、前後左右蓋２３−２６が封緘されるようになっている。よって、第５実施形態の段ボール箱１２によれば、２つの遊技盤１を段ボール箱１２に格納する場合、その場で段ボール箱１２の前後左右蓋２３−２６を図８に示す封緘具７６で封緘する必要はない。切込９３；９４が前後蓋２３；２５に形成され、嵌合片９５；９６が左右蓋２４；２６に形成されてもよい。
【００２７】
図１６は、第６実施形態に係る段ボール箱１２の内部に支持体１３を格納し、支持体１３を取手用孔片４０；４１で段ボール箱１２の内部に支持した遊技盤梱包装置１１の平面を示す。図３に示す筒状の段ボール箱１２における折線２７の部分と折線２９の部分とが、互いに外側から内側に押されることで、段ボール箱１２が扁平に畳まれる。また、図５に示す筒状の支持体１３における糊代５５と隅片６１とが互い外側から内側に押されることで、支持体１３が扁平に畳まれる。そして、扁平な支持体１３が扁平な段ボール箱１２における前後左右底１９−２２の側から段ボール箱１２の内部に挿入される一方、段ボール箱１２における取手用孔片４０；４１が外側から内側に押し込まれ、支持体１３における左右側片５８；５９の上端面周りの上部が左右側壁１６；１８と上記内側に押し込まれた取手用孔片４０；４１との隙間に挿入されることで、支持体１３が段ボール箱１２の内部において取手用孔片４０；４１で支持される。これによって、１つの段ボール箱１２と１つの支持体１３との組み合わせが形成される。そして、図１に示す２枚の遊技盤１を１つの段ボール箱１２と１つの支持体１３とで梱包する場合において、１つの段ボール箱１２と１つの支持体１３とが適切に供給されるので、梱包作業が容易である。
【００２８】
図１７および図１８は、第７実施形態である。図１７は、支持体１３の外観を示す。図１８は、扁平な支持体１３を取手用孔片４０；４１で扁平な段ボール箱１２の内部に支持した遊技盤梱包装置１１の平面を示す。図１７に示すように、支持体１３における左右側片５８；５９の上部には、上端面から内部に窪む凹部９９；１００が形成される。そして、図１８のａ図に示すように、扁平に畳まれた支持体１３が扁平に畳まれた段ボール箱１２における前後左右底１９−２２の側から段ボール箱１２の内部に挿入される過程において、支持体１３における凹部９９；１００周りが左右側壁１６；１８と内側に押し込まれた取手用孔片４０；４１との隙間に挿入されることで、支持体１３が段ボール箱１２の内部において取手用孔片４０；４１で支持される。これによって、図１８のｂ図に示すように、支持体１３が段ボール箱１２の内部において折線３６；３８と折線３２；３４との間に配置されるので、段ボール箱１２の左右底２０；２２や左右蓋２４；２６が折り曲げられても、支持体１３が折り曲がるような不都合を解消することができる。
【００２９】
図１９は、第８実施形態に係る展開した支持体１３を示す。糊代５５から外側には舌片１１１が連接され、後側片５７と隅片６３との境には貫通孔１１２が形成される。そして、糊代５５、左側片５８、隅片６０、前側片５６、隅片６１、右側片５９、隅片６２、後側片５７、隅片６３のそれぞれが折線６４−７１で内側に折り曲げられた後、舌片１１１が貫通孔１１２に嵌め込まれることで、糊代５５が隅片６３に重ね合わされ、支持体１３が筒状に形成される。この重ね合わされた糊代５５と隅片６３とが互いに接着剤で結合されてもよいが、接着剤で結合しなくても、舌片１１１と貫通孔１１２とが互いに嵌め込まれているので、支持体１３が筒状の形状に保持される。
【００３０】
図２０は、第９実施形態に係る１枚の遊技盤１を１つの段ボール箱１２と１つの支持体１３とで梱包した遊技盤梱包装置１１の縦方向に切断した断面を示す。１枚の遊技盤１を１つの段ボール箱１２と１つの支持体１３とで梱包する場合、段ボール箱１２の前後左右蓋２３−２６が開けられた状態において、１枚の遊技盤１における表部品４が段ボール箱１２の封緘された底部７２と対向する格好で、１枚の遊技盤１が段ボール箱１２の上方から内部に収納され、遊技盤１の表部品４が段ボール箱１２の底部７２に搭載された後、筒状の支持体１３が段ボール箱１２の上方から内部に挿入されるのに伴い、１枚の遊技盤１における裏部品５が支持体１３の内部に取り込まれ、支持体１３における環状の下端面が１枚目の遊技盤１における遊技盤本体２の裏部品５周りに搭載される。そして、前後左右蓋２３−２６を閉じて封緘してもよいが、前後左右蓋２３−２６を閉じる前に、古新聞紙や古雑誌などの詰物１１３が支持体１３の上に敷設された後、前後左右蓋２３−２６を閉じて封緘すれば、１枚の遊技盤１を収納した遊技盤梱包装置１１がトラックに積み込まれて運ばれる場合に、その運搬中の振動で１枚の遊技盤１が遊技盤梱包装置１１の内部でがたつくことがないので、１枚の遊技盤１に実装されている表部品４や裏部品５が損傷せず適切に保護される。
【００３１】
図２１−図２３は、第１０実施形態である。図２１は、段ボール箱１２と支持体１３とが結合体１２１で連結された遊技盤梱包装置１１の平面を示す。図２２は、遊技盤梱包装置１１を分解して示す。図２３は、２枚の遊技盤１を梱包した遊技盤梱包装置１１の縦方向に切断した断面を示す。
【００３２】
図２２に示すように、段ボール箱１２の内部に支持体１３を連結する４個の結合体１２１は、段ボール箱１２と支持体１３と別々に、段ボール紙材料から形成されたものであって、方形状の中央に形成された折線１２２で２つに折り曲げられ、この折り曲げられた２つの片部の端部を２つの折線１２３；１２４で互いに同一方向に２つに折り曲げられた糊代１２５；１２６を備えた、平面視Ｍ字形の形態である。そして、各結合体１２１の一方の糊代１２５が、支持体１３の前後側片５６；５７の外側面と左右側片５８；５９の外側面とに接着剤のような固着具で結合される。このように４個の結合体１２１の取り付けられた支持体１３が段ボール箱１２の内部に収納された後、各結合体１２１の他方の糊代１２６が、段ボール箱１２の前後側壁１５；１７の内側面と左右側壁１６；１８の内側面とに接着剤のような固着具で結合される。これによって、図２１に示すように、支持体１３が段ボール箱１２の内部に結合体１２１で連結された格好で格納される。この格納された支持体１３と段ボール箱１２との間には、隙間１２７が形成される。
【００３３】
図２３を参照し、遊技盤本体２に表部品４および裏部品５の取り付けられた２枚の遊技盤１を梱包する方法について説明する。段ボール箱１２の底部７２および蓋部７３が開けられた状態において、１枚の遊技盤１を例えば底部７２の側から段ボール箱１２の内部に入れる。その場合、当該１枚の遊技盤１における裏部品５が先に段ボール箱１２の内部に入れられることによって、裏部品５が支持体１３の内部に取り込まれ、遊技盤本体２の裏部品５周りが支持体１３の下端面に接触して搭載される。その後、底部７２における左右底２０；２２と前後底１９；２１とが閉じられて図外の封緘具で封緘される。また、上記と別のもう１枚の遊技盤１を例えば蓋部７３の側から段ボール箱１２の内部に入れる。その場合、当該もう１枚の遊技盤１における裏部品５が先に段ボール箱１２の内部に入れられることによって、裏部品５が支持体１３の内部に取り込まれ、遊技盤本体２の裏部品５周りが支持体１３の上端面に接触して搭載される。その後、蓋部７３における左右蓋２４；２６と前後蓋２３；２５とが閉じられて図外の封緘具で封緘される。これによって、２枚の遊技盤１の梱包作業が終了する。
【００３４】
この第１０実施形態の構造によれば、１つの段ボール箱１２と１つの支持体１３とが結合体１２１で連結されているので、１枚の遊技盤１または２枚の遊技盤１を１つの段ボール箱１２と１つの支持体１３とで封緘する場合において、作業者が１つの段ボール箱１２を持つことによって、当該１つの段ボール箱１２と１つの支持体１３とが組み合わさった形態で供給され、遊技盤１の梱包作業および遊技盤梱包装置１１の運搬作業が容易である。また、１つの段ボール箱１２と１つの支持体１３とが組み合わさった形態で保管されるので、保管形態も梱包作業に適合する良好な形態となる。結合体１２１が３つ以上の折線１２２−１２４で折り曲げられた形態であるので、複数の結合体１２１で１つの段ボール箱１２と１つの支持体１３とを連結した場合、結合体１２１の折れ曲がりが段ボール箱１２と支持体１３との寸法誤差を吸収するというように、結合体１２１が段ボール箱１２と支持体１３との結合の緩衝機能を発揮し、段ボール箱１２と支持体１３との間に隙間１２７を形成することができる。第１０実施形態において、結合体１２１の個数は、４個に限定されるものでなく、１個または２個または３個または５個以上であってもよいが、４個であれば、段ボール箱１２と支持体１３との接続された形状の保持性がよい。
【００３５】
図２４は第１１実施形態に係る支持体１３を示す。結合体１２１が支持体１３の前後側片５６；５７および左右側片５８；５９から外側に切り起こされた形態である。前後側片５６；５７および左右側片５８；５９には、結合体１２１の切り起こすための残渣孔１２８；１２９；１３０；１３１が存在する。結合体１２１と前後側片５６；５７および左右側片５８；５９との連接部分には、折線１２３が存在する。よって、支持体１３を図２２に示す段ボール箱１２の内部に連結する場合、支持体１３より切り起こされた結合体１２１の端部を折り曲げて形成された糊代１２６が段ボール箱１２の前後側壁１５；１７の内側面と左右側壁１６；１８の内側面とに接着剤のような固着具で結合される。第１１実施形態の構造によれば、結合体１２１が支持体１３の一部を使って切り起こされているので、結合体１２１および支持体１３の材料の無駄を省くことができる。
【００３６】
図２５−図２７は、第１２実施形態である。図２５は、段ボール箱１２と支持体１３とからなる遊技盤梱包装置１１の外観を示す。図２６は、遊技盤梱包装置１１の平面を示す。図２７は、２枚の遊技盤１を梱包した遊技盤梱包装置１１の縦方向に切断した断面を示す。
【００３７】
図２５に示すように、段ボール箱１２と別に形成された支持体１３は、段ボール紙材料から形成されたものであって、帯板状の長さ方向の中央に形成された折線１４１で２つに折り曲げられ、この折り曲げられた２つの片部の端部を２つの折線１４２；１４３で互いに同一方向に２つに折り曲げられた糊代１４４；１４５を備えた形態である。そして、支持体１３が、段ボール箱１２の４つの隅部における内部のそれぞれに上下２段に設けられることによって、遊技盤梱包装置１１が構成される。段ボール箱１２の１つ目の隅部に結合される場合、一方の糊代１４４が、段ボール箱１２の左側壁１６の内側面に接着剤のような固着具で結合され、他方の糊代１４５が、段ボール箱１２の後側壁１７の内側面に接着剤のような固着具で結合される。段ボール箱１２の２つ目の隅部に結合される場合、一方の糊代１４４が、段ボール箱１２の前側壁１５の内側面に接着剤のような固着具で結合され、他方の糊代１４５が、段ボール箱１２の左側壁１６の内側面に接着剤のような固着具で結合される。段ボール箱１２の３つ目の隅部に結合される場合、一方の糊代１４４が、段ボール箱１２の右側壁１８の内側面に接着剤のような固着具で結合され、他方の糊代１４５が、段ボール箱１２の前側壁１５の内側面に接着剤のような固着具で結合される。段ボール箱１２の４つ目の隅部に結合される場合、一方の糊代１４４が、段ボール箱１２の後側壁１７の内側面に接着剤のような固着具で結合され、他方の糊代１４５が、段ボール箱１２の右側壁１８の内側面に接着剤のような固着具で結合される。
【００３８】
図２６および図２７を参照し、遊技盤本体２に表部品４および裏部品５の取り付けられた２枚の遊技盤１を梱包する方法について説明する。図２６に示すように、段ボール箱１２の底部７２が封緘され、段ボール箱１２の蓋部７３が開けられた状態において、上下２段になった全部の支持体１３における中央の折線１４１が、段ボール箱１２における全部の隅部に近づくように、段ボール箱１２の内側から外側に向けて押し付けられることによって、全部の支持体１３が、図２６に仮想線で示す形態から実線で示す形態のように、段ボール箱１２の前後左右側壁１５−１８に沿わされた形態に折り畳まれている。そして、図２７に示す１枚の遊技盤１が蓋部７３の側から段ボール箱１２の内部に入れられる。その場合、当該１枚の遊技盤１における表部品４が先に段ボール箱１２の内部に入れられることによって、遊技盤１の表部品４の前面が段ボール箱１２の底部７２に接触して搭載される。その後、全部の支持体１３における中央の折線１４１が、段ボール箱１２における全部の隅部から離れるように、段ボール箱１２の内側に引き出されることによって、全部の支持体１３が、図２６に実線で示す形態から仮想線で示す形態のように、段ボール箱１２の内側に突出される。これによって、図２７に示すように、段ボール箱１２の底部７２の側に位置する下段における全部の支持体１３が遊技盤本体２の裏面の上を通過し、支持体１３の折線１４１が裏部品５の側部と横方向で対向し、支持体１３が遊技盤本体２の浮き上がりを阻止する形態となる。次に、上記と別のもう１枚の遊技盤１が蓋部７３の側から段ボール箱１２の内部に入れられる。その場合、当該もう１枚の遊技盤１における裏部品５が先に段ボール箱１２の内部に入れられることによって、裏部品５が段ボール箱１２の内側に突出している支持体１３の内部に取り込まれ、遊技盤本体２の裏部品５周りが支持体１３の上端面に接触して搭載される。その後、蓋部７３における左右蓋２４；２６と前後蓋２３；２５とが閉じられて図外の封緘具で封緘される。これによって、２枚の遊技盤１の梱包作業が終了する。
【００３９】
この第１２実施形態の構造によれば、支持体１３が図２６に実線で示すような段ボール箱１２の前後左右側壁１５−１８に折り畳まれた形態と仮想線で示すような段ボール箱１２の内側に突出する形態とに変形可能であるので、２枚の遊技盤１を蓋部７３の方から段ボール箱１２の内部に収納することができ、梱包作業が容易である。また、遊技盤１を段ボール箱１２の内部に収納する場合、蓋部７３が封緘され、底部７２が開けられた状態でも同様に適用できる。つまり、２枚の遊技盤１を底部７２または蓋部７３の方から段ボール箱１２の内部に収納することができる。段ボール箱１２と支持体１３とが結合されているので、１枚の遊技盤１または２枚の遊技盤１を１つの１つの支持体１３とで封緘する場合において、作業者が１つの段ボール箱１２を持つことによって、当該１つの段ボール箱１２と１つの支持体１３とが組み合わさった形態で供給され、遊技盤１の梱包作業および遊技盤梱包装置１１の運搬作業が容易となるうえ、保管形態も梱包作業に適合する良好な形態となる。支持体１３が段ボール箱１２の底部７２または蓋部７３の側に位置する遊技盤１を別々に支持するので、１つの遊技盤梱包装置１１で１枚の遊技盤１でも梱包可能となる。支持体１３が遊技盤１の裏部品５に接触しなくても適用可能であるが、支持体１３が裏部品５を横方向から支持すれば、遊技盤本体２が段ボール箱１２の前後左右側壁１５−１８と接触していなくても、遊技盤１が段ボール箱１２の内部で横に移動することを防止することができる。
【００４０】
図２８は、第１３実施形態に係る段ボール箱１２と支持体１３とからなる遊技盤梱包装置１１の外観を示す。支持体１３が段ボール箱１２の４つの隅部で外側から内側に切り起こされる形態である。つまり、段ボール箱１２の１つ目の隅部において、段ボール箱１２の左側壁１６と後側壁１７とにわたり切込１４７；１４８が横方向に形成される。段ボール箱１２の２つ目の隅部において、段ボール箱１２の前側壁１５と左側壁１６とにわたり切込１４９；１５０が横方向に形成される。段ボール箱１２の３つ目の隅部において、段ボール箱１２の右側壁１８と前側壁１５とにわたり切込１５１；１５２が横方向に形成される。段ボール箱１２の４つ目の隅部において、段ボール箱１２の後側壁１７と右側壁１８とにわたり切込１５３；１５４が横方向に形成される。支持体１３が段ボール箱１２の外側から内側に突出された場合、段ボール箱１２の４つの隅部に残渣孔１５５−１５８が形成される。そして、図２７に示す遊技盤１を段ボール箱１２の内部に収納する場合、支持体１３が外側から内側に押し込まれることによって、図示のように、支持体１３が段ボール箱１２の４つの隅部で外側から内側に突出される。よって、支持体１３が切込１４７−１５４で段ボール箱１２から形成されているので、材料の無駄を省くことができる。
【００４１】
図２９は第１４実施形態に係る段ボール箱１２と支持体１３とからなる遊技盤梱包装置１１の外観を示す。支持体１３を上下二段に分離することなく単一体で形成することによって、支持体１３を段ボール箱１２の内部に突出させる作業を簡単にすることができる。
【００４２】
図３０は第１５実施形態に係るパチンコ店１１４で使用済となって破棄された遊技盤本体２に表部品４と裏部品５とを備えた２枚の使用済遊技盤１（前記各実施形態における遊技盤１に相当する）が前述の遊技盤梱包装置１１を使用して回収される使用済遊技盤回収方法を示す。ステップ２０１に示すように、パチンコ店１１４において新機種の遊技盤を導入する場合に使用済となって破棄される２枚または１枚の使用済遊技盤１が１つの段ボール箱１２と１つの支持体１３とで梱包される。その梱包には図１または図９または図２０または図２２に示す形態が用いられる。そして、ステップ２０２に示すように、使用済遊技盤１の梱包された遊技盤梱包装置１１がトラック１１５の荷台に搭載される。その後、ステップ２０２に示すように、トラック１１５がパチンコ店１１４から使用済遊技盤１の集荷場１１６に向けて運行され、トラック１１５が集荷場１１６に到達すると、遊技盤梱包装置１１がトラック１１５の荷台から集荷場１１６に降ろされる。集荷場１１６ではステップ２０３に示すように、降ろされた遊技盤梱包装置１１における段ボール箱１２から使用済遊技機１および支持体１３が取り出される。取り出された使用済遊技盤１からは表部品４や裏部品５における画像表示装置や球検出器などの必要な部品が取り外される。空になった１つの段ボール箱１２と１つの支持体１３とが図１６や図１８または図２１に示すように組み合わされた形態で、パチンコ店１１４から破棄される使用済遊技盤１を回収するために再使用に供される。
【産業上の利用可能性】
【００４３】
図１−図２４において、支持体１３は八角形に形成したが、四角形や円筒状であってもよい。図２５−図２９において、支持体１３を段ボール箱１２の４つの隅部に設けたが、支持体１３を互いに対角方向に相対峙する１組としてもよい。また、図２５−図２９において、支持体１３を段ボール箱１２の隅部に設けたが、前後左右側壁１５−１８のそれぞれに個別に設けたり、前後側壁１５；１７または左右側壁１６；１８のいずれかに個別に設けてもよい。図２５において、支持体１３を図２８のように切込１４７−１５４で段ボール箱１２から突出可能にきり起こしてもよい。
【図面の簡単な説明】
【００４４】
【図１】遊技盤梱包装置を示す分解斜視図（第１実施形態）。
【図２】段ボール箱を示す展開図（第１実施形態）。
【図３】段ボール箱を示す斜視図（第１実施形態）。
【図４】支持体を示す展開図（第１実施形態）。
【図５】支持体を示す斜視図（第１実施形態）。
【図６】梱包方法を示す工程図（第１実施形態）。
【図７】梱包方法を示す工程図（第１実施形態）。
【図８】梱包方法を示す工程図（第１実施形態）。
【図９】遊技盤梱包装置を示す分解斜視図（第２実施形態）。
【図１０】段ボール箱を示す展開図（第３実施形態）。
【図１１】段ボール箱を作る途中を示す斜視図（第３実施形態）。
【図１２】段ボール箱を示す斜視図（第３実施形態）。
【図１３】段ボール箱を扁平にする途中を示す斜視図（第３実施形態）。
【図１４】ａ図は蓋部の開けられた段ボール箱を示す斜視図、ｂ図は蓋部の封緘された段ボール箱を示す斜視図（第４実施形態）。
【図１５】ａ図は蓋部の開けられた段ボール箱を示す斜視図、ｂ図は蓋部の封緘された段ボール箱を示す斜視図（第５実施形態）。
【図１６】ａ図は段ボール箱に支持体を格納した遊技盤梱包装置を示す平面図、ｂ図はａ図のＡ−Ａ線断面図（第６実施形態）。
【図１７】支持体を示す斜視図（第７実施形態）。
【図１８】ａ図は段ボール箱に支持体を格納した遊技盤梱包装置を示す平面図、ｂ図はａ図のＢ−Ｂ線断面図（第７実施形態）。
【図１９】支持体を示す展開図（第８実施形態）。
【図２０】遊技盤梱包装置を示す縦断面図（第９実施形態）。
【図２１】遊技盤梱包装置を示す平面的な模式図（第１０実施形態）。
【図２２】遊技盤梱包装置を示す分解斜視図（第１０実施形態）。
【図２３】遊技盤梱包装置を示す縦断面図（第１０実施形態）。
【図２４】支持体を示す斜視図（第１１実施形態）。
【図２５】遊技盤梱包装置を示す斜視図（第１２実施形態）。
【図２６】遊技盤梱包装置を示す平面図（第１２実施形態）。
【図２７】遊技盤梱包装置を示す縦断面図（第１２実施形態）。
【図２８】遊技盤梱包装置を示す斜視図（第１３実施形態）。
【図２９】遊技盤梱包装置を示す斜視図（第１４実施形態）。
【図３０】使用済遊技盤回収方法を示す工程図（第１５実施形態）。
【符号の説明】
【００４５】
１  遊技盤
２  遊技盤本体
４  表部品
５  裏部品
１１  遊技盤梱包装置
１２  段ボール箱
１３  支持体
１３ａ  波心
７２  底部
７３  蓋部
１２１  結合体
【図１】
2005193970.tif 000003
【図２】
2005193970.tif 000004
【図３】
2005193970.tif 000005
【図４】
2005193970.tif 000006
【図５】
2005193970.tif 000007
【図６】
2005193970.tif 000008
【図７】
2005193970.tif 000009
【図８】
2005193970.tif 000010
【図９】
2005193970.tif 000011
【図１０】
2005193970.tif 000012
【図１１】
2005193970.tif 000013
【図１２】
2005193970.tif 000014
【図１３】
2005193970.tif 000015
【図１４】
2005193970.tif 000016
【図１５】
2005193970.tif 000017
【図１６】
2005193970.tif 000018
【図１７】
2005193970.tif 000019
【図１８】
2005193970.tif 000020
【図１９】
2005193970.tif 000021
【図２０】
2005193970.tif 000022
【図２１】
2005193970.tif 000023
【図２２】
2005193970.tif 000024
【図２３】
2005193970.tif 000025
【図２４】
2005193970.tif 000026
【図２５】
2005193970.tif 000027
【図２６】
2005193970.tif 000028
【図２７】
2005193970.tif 000029
【図２８】
2005193970.tif 000030
【図２９】
2005193970.tif 000031
【図３０】
2005193970.tif 000032